(57)【要約】【課題】圧縮自己着火運転が可能な運転領域を拡大する。【解決手段】ピストン４の圧縮作用によって自己着火させることにより混合気を燃焼させる圧縮自己着火運転と、火花点火により混合気を燃焼させる火花点火運転と、を切換え可能なエンジンにおいて、圧縮自己着火運転時に、燃焼室２０内のＥＧＲ量を増加させるＥＧＲ量増大手段１１と、エンジンが所定回転数以上となった場合、もしくはエンジンの負荷が所定負荷以上となった場合に、燃焼室２０に供給する吸入空気中の酸素濃度をＥＧＲ量に応じて上昇させる酸素濃度上昇手段２と、を備える。【選択図】      図１
2006022664.tif 000002
【特許請求の範囲】
【請求項１】
ピストンの圧縮作用によって自己着火させることにより混合気を燃焼させる圧縮自己着火運転と、
火花点火により混合気を燃焼させる火花点火運転と、を切換え可能なエンジンにおいて、
圧縮自己着火運転時に燃焼室内のＥＧＲ量を増加させるＥＧＲ量増大手段と、
エンジンが所定回転数以上もしくは所定負荷以上となった場合に、燃焼室に供給する吸入空気中の酸素濃度をＥＧＲ量の増加に応じて上昇させる酸素濃度上昇手段と、を備えることを特徴とするエンジンの制御装置。
【請求項２】
前記ＥＧＲ量増大手段は、排気バルブ閉時期が排気行程途中で吸気バルブの開時期が吸気行程途中となるようにバルブタイミングを制御し、前記排気バルブが閉じてから吸気バルブが開くまでの時間を変化させることによってＥＧＲ量を制御する請求項１に記載のエンジンの制御装置。
【請求項３】
エンジンの失火を検知する手段と、
圧縮自己着火運転中に失火を検知した場合に、前記ＥＧＲ量増大手段はＥＧＲ量を増大し、前記酸素濃度上昇手段によって酸素濃度を上昇させる失火時酸素濃度制御手段と、を備える請求項１または２に記載のエンジンの制御装置。
【請求項４】
前記失火時酸素濃度制御手段は、酸素濃度の上昇代をエンジンに要求される回転数または出力に基づいて算出する請求項３に記載のエンジンの制御装置。
【請求項５】
前記酸素濃度上昇手段は、吸気通路中に設けた酸素富化膜と、酸素富化膜の上流または下流に設けた過給機と、酸素富化膜をバイパスする通路と、酸素富化膜を通過する空気流量を制御する流量制御手段と、バイパス通路を通過する空気流量を制御する流量制御手段と、で構成される請求項１〜４に記載のエンジンの制御装置。
【発明の詳細な説明】
【技術分野】
【０００１】
本発明は、圧縮自己着火ガソリンエンジンに関し、特に、圧縮自己着火運転が可能な運転領域を拡大するための制御装置に関する。
【背景技術】
【０００２】
リーン燃焼時の燃焼安定性と排気浄化作用の向上を目的として、予混合気をピストンの圧縮作用により自己着火燃焼させる圧縮自己着火ガソリンエンジンが知られている。
【０００３】
この圧縮自己着火エンジンでは、リーン燃焼を実現するために圧縮比を高圧縮比に設定しているので、エンジンが高回転になるとノッキングが発生して自己着火燃焼が成立せず、また、機関が十分に暖機してからでないと圧縮自己着火燃焼が行われないために冷間始動がでず、圧縮自己着火運転が可能な領域が狭いという問題があった。
【０００４】
特許文献１には、上記問題を解決するために、排気バルブ閉時期が排気行程途中で、吸気バルブの開時期が吸気行程途中となるマイナスオーバーラップのバルブタイミングに制御して、高温の排気ガスを内部ＥＧＲとして利用して筒内温度を上昇させる技術手段が開示されている。
【特許文献１】特開２００１−３７７１号
【発明の開示】
【発明が解決しようとする課題】
【０００５】
しかしながら、特許文献１に記載の技術手段では、筒内温度を高くするためにマイナスオーバーラップ量を大きくすると、ＥＧＲ量が増大する分だけ燃焼室に供給される吸入空気量が減少するので、当然燃焼室に供給される酸素量が少なくなり、出力トルクが低下してしまうので、出力トルクを確保するためにマイナスオーバーラップ量は制限されてしまう。また、吸入空気量が少なくなることにより高回転で運転することができなくなる。これらの要因により圧縮自己着火運転可能な領域も制限されてしまうという問題があった。
【０００６】
そこで、本発明では大量の内部ＥＧＲを行った場合にも出力トルクを確保し、また、高回転化を可能にして、より広い領域で圧縮自己着火運転を可能にすることを目的とする。
【課題を解決するための手段】
【０００７】
本発明のエンジンの制御装置は、ピストンの圧縮作用によって自己着火させることにより混合気を燃焼させる圧縮自己着火運転と、火花点火により混合気を燃焼させる火花点火運転と、を切換え可能なエンジンにおいて、圧縮自己着火運転時に、燃焼室内のＥＧＲ量を増加させるＥＧＲ量増大手段と、エンジンが所定回転数以上となった場合、もしくはエンジンの負荷が所定負荷以上となった場合に、燃焼室に供給する吸入空気中の酸素濃度をＥＧＲ量に応じて上昇させる酸素濃度上昇手段と、を備える。
【発明の効果】
【０００８】
本発明によれば、酸素濃度上昇手段により吸入空気中の酸素濃度を制御できるので、内部ＥＧＲ量を増大させても燃焼に必要な酸素量を確保して高回転運転を可能にすることができ、また、負荷が大きい場合であっても、圧縮自己着火運転に必要な内部ＥＧＲ量を確保しつつ、酸素濃度をより高めることにより高トルクを得ることができる。つまり従来の圧縮自己着火ガソリンエンジンよりも高回転域、高負荷域での圧縮自己着火運転が可能となり、圧縮自己着火運転可能な領域を拡大することができる。
【発明を実施するための最良の形態】
【０００９】
以下本発明の実施形態を図面に基づいて説明する。
【００１０】
図１は本実施形態のシステム構成の概略図である。
【００１１】
２１はシリンダヘッド、２２はシリンダブロック、４はピストン、２０はこれらシリンダヘッド２１、シリンダブロック２２、ピストン４により形成される燃焼室である。
【００１２】
シリンダヘッド２１には、吸気ポート２３を開閉する吸気バルブ１５、排気ポート２４を開閉する排気バルブ１６、そして、吸気バルブ１５を駆動する吸気カムシャフト１７、排気バルブ１６を駆動する排気カムシャフト１８が配設されている。
【００１３】
吸気カムシャフト１７および排気カムシャフト１８は、吸気バルブ１５および排気バルブ１６の開閉時期、いわゆるバルブタイミングを可変に制御することが可能な可変動弁機構１１を備える。可変動弁機構１１としては、例えばバルブタイミングを可変に制御するもの、バルブの作動角とリフト量を可変制御することによってバルブタイミングを変更するもの、または、カムシャフトを用いずにバルブを電磁駆動し、バルブタイミングを可変制御可能としたもの等が使用可能である。
【００１４】
また、燃焼室２０の圧力を検出する筒内圧力センサ９、温度を検出する筒内温度センサ１０、運転状態に応じて燃焼室２０内の混合気に火花点火を行う点火プラグ１９が燃焼室２０に望むように配設されている。
【００１５】
また、シリンダブロック２２には、エンジン回転数検出手段としてクランク角センサ１３が配設されている。
【００１６】
吸気ポート２３上流の吸気通路２５には、吸気通路２５内の圧力を検出する吸気圧センサ６、酸素濃度を検出するＯ2濃度センサ７、温度を検出する吸気温度センサ８、そして吸気通路２５内の吸入空気に燃料を噴射するインジェクタ２６が配設されている。
【００１７】
また、上記のセンサ等の上流には吸入空気の圧力を調整する過給機３が、その上流にはエンジンに供給する酸素濃度を調整するための酸素濃度上昇手段としての酸素富化装置２が、さらに上流には吸入空気量を制御するスロットルバルブ１２が設けられ、最上流部には外部から空気を吸入するエアダクト１が設けられる。
【００１８】
１４は上述したセンサ類の検出信号を読込み、これに基づいてスロットルバルブ１２の開度や燃料噴射量、バルブタイミング等を設定するエンジンコントロールユニット（以下、ＥＣＵという）である。
【００１９】
後述するように本実施形態では、運転状態に応じて、点火プラグ１９によって火花点火を行い混合気を燃焼させる火花点火運転と、ピストン４の圧縮作用により自己着火燃焼させる圧縮自己着火運転とを切換えて行う。
【００２０】
ここで、酸素富化装置２について図２の概略図を参照して説明する。
【００２１】
酸素富化装置２は吸気通路２５が主通路３１、バイパス通路３０に分岐し、主通路３１には酸素富化膜２９と、その下流に主通路３１の流量を制御するバルブ２８が設けられている。バイパス通路３０は酸素富化膜２９の上流とバルブ２８の下流を連通しており、途中にバイパス通路３０の流量を制御するバルブ２７が設けられる。
【００２２】
バルブ２７、２８の開度はＥＣＵ１４によって運転状況に応じて設定される。
【００２３】
酸素富化膜２９とは膜の上下流に圧力差を設けると空気を透過させる性質をもつシリコンの膜であり、空気透過時に酸素がより速く透過する性質をもつ。
【００２４】
したがって、過給機３によって空気を下流に圧送することによって酸素富化膜２９の下流に負圧が生じ、酸素富化膜２９の上流と圧力差が生じた状態で主通路３１に空気を流すと、酸素富化膜２９の下流では上流に比べて酸素濃度が高くなる。
【００２５】
そこで、上記の性質を利用し、バルブ２７、２８の開度を関連付けて制御し、酸素富化装置２より下流の吸気通路２５を流れる空気中の、酸素富化膜２９通過後の酸素濃度の高い空気とバイパス通路３０を通過する通常の空気の割合を調整することによって、燃焼室２０に供給する空気の酸素濃度を調節することができる。
【００２６】
次に、本実施形態の制御について図７のフローチャートを参照して説明する。
【００２７】
図７はＥＣＵ１４が実行する制御であり、エンジンの運転状態に基づいて火花点火運転もしくは圧縮自己着火運転を選択し、それぞれの運転に適したバルブタイミングを設定し、さらに圧縮自己着火運転の場合には燃焼室２０に供給する酸素濃度も設定する。
【００２８】
以下、各ステップにしたがって説明する。
【００２９】
ステップＳ１では、クランク角センサ１３により検出するエンジン回転数Ｎｅと、エンジン回転数Ｎｅおよび図示しないアクセル開度センサ等の検出信号から要求トルクＴを読込む。
【００３０】
ステップＳ２では、ステップＳ１で読込んだ値に基づいて圧縮自己着火運転が可能な状態であるか否かを判定する。この判定は、例えば圧縮自己着火運転が可能なエンジン回転数Ｎｅ、トルクＴのしきい値を予め設定しておき、読込んだ値と比較することによって行う。圧縮自己着火運転が不可能であると判定した場合にはステップＳ８に進み、通常のオーバーラップ量のバルブタイミングに制御して火花点火運転を行う。
【００３１】
圧縮自己着火運転可能であればステップＳ３に進み、最適バルブタイミングを決定する。
【００３２】
具体的には、まずステップＳ１で読込んだエンジン回転数Ｎｅ、要求トルクＴを用いて図１０に示すマイナスオーバーラップ量算出マップを検索することによってマイナスオーバーラップ量を設定し、設定したマイナスオーバーラップ量となるように、前述した可変動弁機構により吸気バルブ１５および排気バルブ１６の開閉時期を制御する。
【００３３】
マイナスオーバーラップのバルブタイミングに制御することにより、燃焼室２０には高温の既燃ガスが滞留することになり（内部ＥＧＲ）、燃焼室２０内を高温にすることができる。これにより、着火遅れ時間を短くすることが可能となる。つまり、可変動弁機構１１がＥＧＲ量増大手段に相当する。
【００３４】
図１０のマイナスオーバーラップ量算出マップは、エンジン回転数Ｎｅが高回転になるほどマイナスオーバーラップ量が大きくなっている。つまり、高回転になるほど大量の既燃ガスを燃焼室２０内に滞留させて筒内温度を高くし、これにより高回転領域での着火遅れ時間を短縮する。
【００３５】
ステップＳ４では、過給圧力および空燃比を決定する。まず、図１１に示す過給圧マップを要求トルクＴで検索して過給圧力を決定する。なお、図１１の過給圧マップは要求トルクが大きくなるほど過給圧も大きくなっている。
【００３６】
過給圧を決定したら、その過給圧をかけた場合の吸入空気量を推定し、これに基づいて目標空燃比を決定する。
【００３７】
ステップＳ５では、ステップＳ３で決定したオーバーラップ量を用いて図１３に示すＥＧＲ量マップを検索してＥＧＲ量を決定する。図１３のマップは、オーバーラップ量が大きくなるほどＥＧＲ量も多くなっている。
【００３８】
ステップＳ６では、ステップＳ５で決定したＥＧＲ量が予め設定した所定値より多いか否かを判定する。所定値よりも少ない場合にはそのまま処理を終了する。
【００３９】
所定値よりも多い場合には、ステップＳ７に進み、酸素富化装置２のバルブ２８の開度を増加させることによって吸入空気中の酸素濃度を高める。このとき、バルブ２７の開度は減少させて、吸気通路２５を通過する吸入空気量の総量が変わらないようにする。
【００４０】
なお、ここで用いる所定値とは、酸素富化装置２によって酸素濃度を上昇させなくても安定した運転が可能なＥＧＲ量の上限値であり、予め実験等により設定しておく。
【００４１】
上記のように本実施形態では、マイナスオーバーラップ量を大きくすることによってＥＧＲ量を増加させた場合に、酸素濃度が通常運転と変わらないように制御している。
【００４２】
図５は燃焼室２０の混合気分布を表す図である。この図に示すように筒内温度を上昇させるためにＥＧＲ量を増加させると、燃焼室２０に供給される吸入空気量は減少するが、酸素富化装置２により吸入空気中の酸素濃度を上昇させて燃焼に必要な酸素量を確保することができるので、高回転運転を行うことができる。
【００４３】
次に圧縮自己着火運転時に失火を検知した場合について図８のフローチャートを参照して説明する。図８は失火を検知した場合にＥＣＵ１４が実行するバルブタイミングや酸素富化装置２等の制御のフローチャートであり、失火を解消するために、酸素濃度、マイナスオーバーラップ量、過給圧を制御する（失火時酸素濃度制御手段）。
【００４４】
まず、ステップＳ２１で失火判定を行う。判定方法としては、例えば、失火せずに燃焼した場合の筒内圧を予め設定しておき、筒内圧センサ９の検出値がこの筒内圧よりも低い場合に失火したと判定する方法や、失火せずに燃焼した場合のクランク角速度を予め設定して置き、クランク角センサ１３の検出値から算出した角速度が設定値より低い場合に失火したと判定する方法等がある。
【００４５】
失火していない場合にはそのままリターンする。
【００４６】
失火したと判定した場合には、ステップＳ２２に進み、クランク角センサ１３で検出する現在のエンジン回転数や図示しないアクセル開度センサの検出値等に基づいて要求トルクＴおよび要求エンジン回転数Ｎｅ２を読込む。
【００４７】
ステップＳ２３では、現在のエンジン回転数ＮｅがステップＳ２２で読込んだ要求エンジン回転数Ｎｅ２を満足しているか否かを判定する。
【００４８】
現在のエンジン回転数Ｎｅが要求エンジン回転数Ｎｅ２より低い場合はステップＳ２４に進む。
【００４９】
ステップＳ２４では、現在のマイナスオーバーラップ量が要求エンジン回転数Ｎｅ２を満たすために最適なオーバーラップ量であるか否かを判定する。
【００５０】
最適である場合にはステップＳ２５に進み、図１４に示すマップを要求回転数Ｎｅ２で検索することによって要求エンジン回転数Ｎｅ２を満たすための酸素濃度を決定し、ステップＳ２６で、この酸素濃度になるように酸素富化装置２のバルブ２７、２８の開度を調節する。図１４は吸入空気中の酸素濃度を要求エンジン回転数に割り付けたマップであり、要求エンジン回転数が高くなるほど酸素濃度も高くなっている。
【００５１】
マイナスオーバーラップ量が最適でない場合には、ステップＳ２７に進み、図１０のマップから最適なマイナスオーバーラップ量を検索する。
【００５２】
そしてステップＳ２８に進み、ステップＳ２７で設定したマイナスオーバーラップ量でエンジンの運転が安定して行えるか否かを、予め設定した機関安定基準に基づいて判定する。
【００５３】
機関安定基準を満たす場合にはステップＳ２９でバルブタイミングをステップＳ２７で求めた値に調節して終了し、満たさない場合にはステップＳ２５に進み、図１４のマップから機関安定基準を満たすために必要な酸素濃度を検索し、ステップＳ２６で酸素富化装置２のバルブ２７、２８の開度を調節する。
【００５４】
ステップＳ２３で要求エンジン回転数を満足している場合には、ステップＳ３０に進む。
【００５５】
ステップＳ３０では、現在の過給圧が要求トルクＴを満たすために最適な過給圧であるか否かを判定する。
【００５６】
最適である場合には、ステップＳ３１に進み、図１２に示すマップから要求トルクＴを満たすために必要な酸素濃度を検索し、検索した酸素濃度となるようにステップＳ３２で酸素富化装置２のバルブ２７、２８の開度を調節する。図１２は吸入空気中の酸素濃度を要求トルクＴに割り付けたものであり、要求トルクＴが大きくなるほど酸素濃度も高くなる。
【００５７】
図６は燃焼室２０の混合気分布を表す図である。この図に示すように、筒内温度を上昇させるために必要なＥＧＲ量を確保することにより燃焼室２０に供給される吸入空気量は制限されるが、酸素富化装置２により吸入空気中の酸素濃度を上昇させることによって、限られた吸入空気量で要求トルクを満足することができる。
【００５８】
過給圧が最適でない場合にはステップＳ３３に進み、図１１に示すマップから要求トルクを満たすための過給圧を検索し、ステップＳ３４でこの過給圧がエンジンの運転が安定して行えるか否かを予め設定した機関安定基準値に基づいて判定する。図１１は最大過給圧を要求トルクＴに割り付けたマップであり、要求トルクＴが大きくなるほど過給圧も高くなっている。
【００５９】
機関安定基準値を満たす場合には、ステップＳ３５で過給圧をステップＳ３３で求めた値となるように調節する。過給圧の調節手段としては、例えばエンジン軸出力により駆動する機械式過給機（いわゆるスーパーチャージャ）において、変速比を可変に制御可能な手段を介してエンジン軸出力を機械式過給機に伝達するする構成とし、過給圧が最適でない場合には、最適な過給圧となるように機械式過給機の回転数を制御するよう変速比を制御する方法がある。また、いわゆるＡ／Ｒを可変に制御可能な排気タービン式過給機を用いる方法もある。
【００６０】
機関安定基準値を満たさない場合には、ステップＳ３１に進み、前述同様に酸素濃度を求め、酸素富化装置２のバルブ２７、２８の開度を調節する。
【００６１】
上記のように、ＥＣＵ１４は、エンジン回転数Ｎｅが要求回転数Ｎｅ２を満足しない場合にはマイナスオーバーラップ量を調節し（ステップＳ２７）、また、マイナスオーバーラップ量が最適にもかかわらず要求エンジン回転数Ｎｅ２を満足しない場合や、最適なマイナスオーバーラップ量にすることによってエンジン運転の安定性が悪くなる場合には酸素富化装置２によって酸素濃度を増加させて（ステップＳ２５）、要求エンジン回転数Ｎｅ２を満足するよう制御する。
【００６２】
これにより、マイナスオーバーラップ量を増大させることによって吸入空気量が減少た場合にも燃焼に必要な酸素量を確保することができるので、高回転領域での圧縮自己着火運転が可能となる。
【００６３】
また、要求トルクＴを満足しない場合には、過給圧を調節し（ステップＳ３３）、また、過給圧が最適にもかかわらず要求トルクＴを満足しない場合や、最適な過給圧にすることによってエンジン運転の安定性が悪くなる場合には酸素富化装置２によって酸素濃度を増加させて（ステップＳ３１）、要求トルクＴを満足するよう制御する。
【００６４】
これにより、筒内温度を高温に保つために必要な内部ＥＧＲ量を確保しつつ、燃焼室２０に供給される酸素濃度を高めてトルクの向上を図ることができる。
【００６５】
上記の効果を図４に示す。図４は横軸にエンジン回転数、縦軸にトルクをとったエンジン運転領域マップであり、領域Ａは酸素富化装置２を備えずにマイナスオーバーラップ量の調節による内部ＥＧＲを行う従来の構成における圧縮自己着火運転領域であり、領域Ｂは本実施形態により圧縮自己着火運転が可能となった運転領域である。
【００６６】
前述したように、本実施形態では、マイナスオーバーラップ量を増大させることによって吸入空気量が減少しても燃焼に必要な酸素量を確保できるので、高回転領域まで圧縮自己着火運転が可能となり、また、筒内温度を高温に保つために必要な内部ＥＧＲ量を確保しても、燃焼室２０に供給される吸入空気中の酸素濃度を上昇させることによって限られた吸入空気量での出力トルクを向上させることが可能となるので、高負荷領域まで圧縮自己着火運転が可能となる。
【００６７】
したがって、領域Ｂのように、従来に比べて高回転側および高負荷側に圧縮自己着火運転可能領域を拡大することができる。
【００６８】
以上により、本実施形態では、圧縮自己着火運転時にバルブタイミングをマイナスオーバーラップに制御することにより内部ＥＧＲを行い、ＥＧＲ量が増大したことにより吸入空気量が減少しても酸素富化装置２によって酸素濃度を確保するので、高回転領域ではＥＧＲ量を増やしつつ必要な酸素量を確保することができ、また、高負荷領域では酸素濃度を上昇させることにより出力トルクを増大させることができる。つまり、圧縮自己着火運転可能領域を高回転領域、高負荷領域まで拡大することができる。
【００６９】
ＥＧＲはバルブタイミングをマイナスオーバーラップに制御することによって行う、いわゆる内部ＥＧＲであるので、ＥＧＲ用の配管、バルブ等を設ける必要がなく、装置の大型化を防ぐことができる。
【００７０】
圧縮自己着火運転中に失火を検知した場合に、酸素富化装置２によって酸素濃度を上昇させるので、エンジンの運転の安定性を確保できる。
【００７１】
酸素濃度の上昇代をエンジンに要求される回転数または出力に基づいて算出するので、エンジンの運転の安定性を確保しつつ、要求される回転数または出力を満たすことができる。
【００７２】
なお、本実施形態では、過給機３の上流に酸素富化装置２を設け、酸素富化装置２の下流側に負圧を生じさせて空気が酸素富化膜２９を透過するようにしているが、図１０に示すように、酸素富化装置２の上流に過給機３を設けて酸素富化膜２９の上流側に過給圧をかけることによって空気を透過させることもできる。
【００７３】
なお、本発明は上記の実施の形態に限定されるわけではなく、特許請求の範囲に記載の技術的思想の範囲内で様々な変更を成し得ることは言うまでもない。
【産業上の利用可能性】
【００７４】
本発明は、圧縮自己着火運転と通常の火花点火運転とを切換えて行うエンジンに適用可能である。
【図面の簡単な説明】
【００７５】
【図１】本実施形態のシステムの構成を表す図である。
【図２】酸素富化装置の構成を表す図である。
【図３】マイナスオーバーラップを説明するためのバルブタイミングチャートである。
【図４】運転領域マップである。
【図５】酸素富化膜を使用したときの効果を説明するための燃焼室内のガス濃度を表す図である。
【図６】酸素富化膜を使用したときの効果を説明するための燃焼室内のガス濃度を表す図である。
【図７】本実施形態の制御フローチャートである。
【図８】失火検出時の制御フローチャートである。
【図９】過給機を酸素富化装置の上流に配置した場合のシステムの構成を表す図である。
【図１０】マイナスオーバーラップ量算出マップである。
【図１１】最適過給圧力選定マップである。
【図１２】吸入空気中の酸素濃度を要求トルクに割り付けたマップである。
【図１３】ＥＧＲ量算出マップである。
【図１４】吸入空気中の酸素濃度を要求エンジン回転数に割り付けたマップである。
【符号の説明】
【００７６】
１    エアダクト
２    酸素富化装置
３    過給機
４    ピストン
６    吸気圧センサ
７    Ｏ2濃度センサ
８    吸気温度センサ
９    筒内圧力センサ
１０  筒内温度センサ
１１  可変動弁機構
１２  スロットルバルブ
１３  クランク角センサ
１４  エンジンコントロールユニット（ＥＣＵ）
１５  吸気バルブ
１６  排気バルブ
１７  吸気カムシャフト
１８  排気カムシャフト
１９  点火プラグ
２０  燃焼室
２１  シリンダヘッド
２２  シリンダブロック
２３  吸気ポート
２４  排気ポート
２５  吸気通路
２６  インジェクタ
２７  バルブ
２８  バルブ
２９  酸素富化膜
３０  バイパス通路
３１  主通路
【図１】
2006022664.tif 000003
【図２】
2006022664.tif 000004
【図３】
2006022664.tif 000005
【図４】
2006022664.tif 000006
【図５】
2006022664.tif 000007
【図６】
2006022664.tif 000008
【図７】
2006022664.tif 000009
【図８】
2006022664.tif 000010
【図９】
2006022664.tif 000011
【図１０】
2006022664.tif 000012
【図１１】
2006022664.tif 000013
【図１２】
2006022664.tif 000014
【図１３】
2006022664.tif 000015
【図１４】
2006022664.tif 000016